【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
ネットワークに接続されたクライアント装置と、該ネットワークに接続された複数の印刷装置との間を仲介して両者間の印刷を実現する印刷仲介システムであって、
前記クライアント装置から、印刷データの前記ネットワーク上の所在を示す所在情報と、該印刷データの出力先となる印刷装置を示す出力先情報とを含む印刷要求の入力を受け、該所在情報に基づいて前記印刷データを、前記ネットワークを介して取得する上位層仲介サーバコンピュータと、
前記複数の印刷装置のうちの少なくとも一つの印刷装置に対して前記ネットワークを介して直接的にデータのやり取りが可能であり、前記出力先情報によって示された印刷装置が前記直接的にデータのやり取りが可能な印刷装置である場合に、前記上位仲介サーバコンピュータから前記印刷データおよび前記出力先情報の転送を受けて、該印刷データを該出力先情報によって示された印刷装置へ転送する複数の下位層仲介サーバコンピュータと
を備え、
前記上位層仲介サーバコンピュータは、
前記クライアント装置および前記印刷データの少なくとも一方と、前記複数の印刷装置との関係で前記印刷の仲介を制限する制限情報を取得する制限情報データベース部と、
前記クライアント装置から前記印刷要求の入力を受けた際に、前記制限情報に基づいて前記印刷の仲介の可否を判断する仲介判断部と、
前記印刷の仲介を許可しないと判断された際に、前記クライアント装置に対して前記出力先情報の変更を要求する変更要求部と
を備えた
印刷仲介システム。
【請求項２】
前記上位層仲介サーバコンピュータは、前記クライアント装置および前記印刷データを所有する装置，前記複数の印刷装置のいずれかからの前記制限情報データベースへの前記制限情報の登録を受け付ける制限情報カスタマイズ部を備えた請求項１記載の印刷仲介システム。
【請求項３】
前記上位層仲介サーバコンピュータは、前記クライアント装置に対して、前記印刷データおよび該印刷データの仲介先となる前記下位層仲介サーバコンピュータに依存しない統一フォーマットで、前記印刷データの印刷条件を指定するためのインタフェースを提供するインタフェース提供部を備えた請求項１または２記載の印刷仲介システム。
【請求項４】
請求項３記載の印刷仲介システムであって、
前記インタフェース提供部は、
前記クライアント装置との関係で前記インタフェースの表示内容を記憶するインタフェースデータベース部と、
前記クライアント装置から前記インタフェースデータベース部への前記インタフェースの表示内容の登録を受け付けるインタフェースカスタマイズ部と、
前記インタフェースデータベース部に基づいて前記インタフェースの表示内容を変更する表示制御部と
を備えた
印刷仲介システム。
【請求項５】
請求項３または４記載の印刷仲介システムであって、
前記インタフェース提供部は、
前記複数の印刷装置のうち前記印刷装置の出力先となる印刷装置を選択するための選択条件を前記クライアント装置に提示し、該クライアント装置からの前記選択条件の入力を受ける入力部と、
該入力された選択条件に適合した印刷装置を前記複数の印刷装置の中から検索して、前記クライアント装置に提示する検索部と
を備えた
印刷仲介システム。
【請求項６】
請求項１ないし５のいずれか記載の印刷仲介システムであって、
前記上位層仲介サーバコンピュータは、
前記クライアント装置のユーザおよび前記印刷データの提供者，前記印刷装置の所有者の間における当該印刷仲介システムの利用の態様を登録した利用者データベース部と、
前記利用者データベース部を参照することによって、当該印刷仲介システムの利用が許可された者の間でのみ前記印刷の仲介を許可する仲介許可部と
を備えた
印刷仲介システム。
【請求項７】
請求項１ないし６のいずれか記載の印刷仲介システムであって、
前記クライアント装置と前記上位層仲介サーバコンピュータとの間の通信は、所定の通信業者を介して行われ、
前記上位層仲介サーバコンピュータは、
当該印刷仲介システムの提供者および前記印刷装置の所有者，前記印刷データの提供者，前記通信業者から成るサービス提供者のうちの少なくともいずれかの課金者からの前記クライアント装置のユーザに対する課金を集約して徴収する前記サービス提供者を特定する課金処理データベース部と、
前記印刷の仲介の際に発生した前記課金に関する課金情報を、前記課金処理データベース部に基づいて前記課金を集約して徴収するサービス提供者向けに送信する課金処理部と
を備えた
印刷仲介システム。
【請求項８】
ネットワークに接続されたクライアント装置と、該ネットワークに接続された複数の印刷装置との間を仲介して両者間の印刷を実現するため、前記複数の印刷装置のうちの少なくとも一つの印刷装置に対して前記ネットワークを介して直接的にデータのやり取りが可能な複数の下位層仲介サーバコンピュータとデータのやり取りを行う上位層印刷仲介サーバコンピュータであって、
前記クライアント装置から、印刷データの前記ネットワーク上の所在を示す所在情報と、該印刷データの出力先となる印刷装置を示す出力先情報とを含む印刷要求の入力を受ける入力部と、
前記所在情報に基づいて前記印刷データを、前記ネットワークを介して取得する印刷データ取得部と、
前記複数の下位層仲介サーバコンピュータのうち前記出力先情報によって示された印刷装置に対して直接的にデータのやり取りが可能な下位層仲介サーバコンピュータに、前記印刷データおよび前記出力先情報を転送する転送部と、
前記クライアント装置および前記印刷データのうちの少なくとも一方と、前記複数の印刷装置との関係で前記印刷の仲介を制限する制限情報を取得する制限情報データベース部と、
前記クライアント装置から前記印刷要求の入力を受けた際に、前記制限情報に基づいて前記印刷の仲介の可否を判断する仲介判断部と、
前記印刷の仲介を許可しないと判断された際に、前記クライアント装置に対して前記出力先情報の変更を要求する変更要求部と
を備えた上位層印刷仲介サーバコンピュータ。
【請求項９】
ネットワークに接続されたクライアント装置と、
前記ネットワークに接続された複数の印刷装置と、
前記クライアント装置から、印刷データの前記ネットワーク上の所在を示す所在情報と、該印刷データの出力先となる印刷装置を示す出力先情報とを含む印刷要求の入力を受け、該所在情報に基づいて前記印刷データを、前記ネットワークを介して取得する上位層仲介サーバコンピュータと、
前記複数の印刷装置のうちの少なくとも一つの印刷装置に対して前記ネットワークを介して直接的にデータのやり取りが可能であり、前記出力先情報によって示された印刷装置が前記直接的にデータのやり取りが可能な印刷装置である場合に、前記上位仲介サーバコンピュータから前記印刷データおよび前記出力先情報の転送を受けて、該印刷データを該出力先情報によって示された印刷装置へ転送する複数の下位層仲介サーバコンピュータと
を利用して、前記クライアント装置からの前記印刷要求に応じた印刷を実現する印刷仲介方法であって、
前記上位層仲介サーバコンピュータによって、前記クライアント装置および前記印刷データのうちの少なくとも一方と、前記複数の印刷装置との関係で前記印刷の仲介を制限する制限情報を取得し、
前記上位層仲介サーバコンピュータが前記クライアント装置から前記印刷要求の入力を受けた際に、前記上位層仲介サーバコンピュータによって、前記制限情報に基づいて前記印刷の仲介の可否を判断し、
前記印刷の仲介を許可しないと判断された際に、前記上位層仲介サーバコンピュータによって前記クライアント装置に対して前記出力先指定情報の変更を要求する
印刷仲介方法。